【手続補正書】
【提出日】令和2年10月9日(2020.10.9)
【手続補正１】
【補正対象書類名】特許請求の範囲
【補正対象項目名】全文
【補正方法】変更
【補正の内容】
【特許請求の範囲】
【請求項１】
位相トラッキング参照信号(PTRS)と変調および符号化方式(MCS)との間の対応に関する情報と、前記PTRSとスケジューリングされた帯域幅との間の対応に関する情報とに基づいて、前記PTRSを1つまたは複数の直交周波数分割多重化(OFDM)シンボルにマッピングするステップであって、前記MCSは、前記PTRSの時間領域密度を判定するために使用され、前記スケジューリングされた帯域幅は、前記PTRSの周波数領域密度を判定するために使用される、ステップと、
前記PTRSがマッピングされている前記1つまたは複数のOFDMシンボルを送るステップとを含む、参照信号構成方法。
【請求項２】
MCSとPTRSの時間領域密度との間の対応を事前に構成するかまたは事前に記憶するステップであって、前記PTRSの時間領域密度は、時間領域において1つのPTRSがいくつかのOFDMシンボルの全てにマッピングされていることを示すために使用される、ステップをさらに含む、請求項1に記載の方法。
【請求項３】
MCSとPTRSの時間領域密度との間の前記対応が、
異なるMCSは異なるPTRSの時間領域密度に対応する、または異なるMCS区間は異なるPTRSの時間領域密度に対応する、ということを含む、請求項2に記載の方法。
【請求項４】
スケジューリングされた帯域幅とPTRSの周波数領域密度との間の対応を事前に構成するかまたは事前に記憶するステップであって、前記PTRSの周波数領域密度は、周波数領域において1つのPTRSがいくつかの副搬送波の全てにマッピングされていることを示すために使用される、ステップをさらに含む、請求項1に記載の方法。
【請求項５】
スケジューリングされた帯域幅とPTRSの周波数領域密度との間の前記対応が、
異なるスケジューリングされた帯域幅区間は異なるPTRSの周波数領域密度に対応する、
ということを含む、請求項4に記載の方法。
【請求項６】
1つまたは複数の直交周波数分割多重化(OFDM)シンボルを受信するステップと、
位相トラッキング参照信号(PTRS)と変調および符号化方式(MCS)との間の対応に関する情報と、前記PTRSとスケジューリングされた帯域幅との間の対応に関する情報とに基づいて、前記1つまたは複数の直交周波数分割多重化(OFDM)シンボルから前記PTRSを判定するステップであって、前記MCSは、前記PTRSの時間領域密度を判定するために使用され、前記スケジューリングされた帯域幅は、前記PTRSの周波数領域密度を判定するために使用される、ステップとを含む、参照信号構成方法。
【請求項７】
前記1つまたは複数のOFDMシンボルから位相トラッキング参照信号PTRSを判定する前記ステップが、
現在のスロットのMCSを取得するステップと、
前記MCSと前記PTRSの時間領域密度との間の対応に関する、事前に構成されているかまたは事前に記憶されている情報に基づいて、PTRSの時間領域密度を判定するステップと、
前記PTRSの時間領域密度および事前設定されたルールに基づいて前記1つまたは複数のOFDMシンボルにおける前記PTRSの時間-周波数位置を判定するステップとを特に含む、請求項6に記載の方法。
【請求項８】
前記1つまたは複数のOFDMシンボルから位相トラッキング参照信号(PTRS)を判定する前記ステップが、
現在のネットワークにおけるスケジューリングされた帯域幅を取得するステップと、
前記スケジューリングされた帯域幅とPTRSの周波数領域密度との間の対応に関する、事前に構成されているかまたは事前に記憶されている情報に基づいて、前記1つまたは複数のOFDMシンボルにおける前記PTRSの時間-周波数位置を判定するステップとを特に含む、請求項6に記載の方法。
【請求項９】
位相トラッキング参照信号(PTRS)と変調および符号化方式(MCS)との間の対応に関する情報と、前記PTRSとスケジューリングされた帯域幅との間の対応に関する情報とに基づいて、前記PTRSを1つまたは複数の直交周波数分割多重化(OFDM)シンボルにマッピングするように構成されたプロセッサであって、前記MCSは、前記PTRSの時間領域密度を判定するために使用され、前記スケジューリングされた帯域幅は、前記PTRSの周波数領域密度を判定するために使用される、プロセッサと、
前記PTRSがマッピングされている前記1つまたは複数のOFDMシンボルを送るように構成されたトランシーバとを備える通信装置。
【請求項１０】
メモリをさらに備え、前記メモリが、MCSとPTRSの時間領域密度との間の対応を事前に記憶するように構成されており、前記PTRSの時間領域密度は、時間領域において1つのPTRSがいくつかのOFDMシンボルの全てにマッピングされていることを示すために使用される、請求項9に記載の通信装置。
【請求項１１】
MCSとPTRSの時間領域密度の間の前記対応が、
異なるMCSは異なるPTRSの時間領域密度に対応する、または異なるMCS区間は異なるPTRSの時間領域密度に対応する、ということを含む、請求項10に記載の通信装置。
【請求項１２】
メモリをさらに備え、前記メモリが、スケジューリングされた帯域幅とPTRSの周波数領域密度の間の対応を事前に記憶するように構成されており、前記PTRSの周波数領域密度は、周波数領域において1つのPTRSがいくつかの副搬送波の全てにマッピングされていることを示すために使用される、請求項9に記載の通信装置。
【請求項１３】
スケジューリングされた帯域幅とPTRSの周波数領域密度との間の前記対応が、
異なるスケジューリングされた帯域幅間隔は異なるPTRSの周波数領域密度に対応する、
ということを含む、請求項12に記載の通信装置。
【請求項１４】
1つまたは複数の直交周波数分割多重化(OFDM)シンボルを受信するように構成されたトランシーバと、
位相トラッキング参照信号(PTRS)と変調および符号化方式(MCS)との間の対応に関する情報と、前記PTRSとスケジューリングされた帯域幅との間の対応に関する情報とに基づいて、前記1つまたは複数の直交周波数分割多重化(OFDM)シンボルから前記PTRSを判定するように構成されたプロセッサであって、前記MCSは、前記PTRSの時間領域密度を判定するために使用され、前記スケジューリングされた帯域幅は、前記PTRSの周波数領域密度を判定するために使用される、プロセッサとを備える通信装置。
【請求項１５】
前記プロセッサが、
現在のスロットのMCSを取得することと、
前記MCSと前記PTRSの時間領域密度との間の対応に関する、事前に構成されているかまたは事前に記憶されている情報に基づいて、前記PTRSの時間領域密度を判定することと、
前記PTRSの時間領域密度および事前設定されたルールに基づいて前記1つまたは複数のOFDMシンボルにおける前記PTRSの時間-周波数位置を判定することとを行うように特に構成されている、請求項14に記載の通信装置。
【請求項１６】
前記プロセッサが、
現在のネットワークにおけるスケジューリングされた帯域幅を取得することと、
前記スケジューリングされた帯域幅とPTRSの周波数領域密度との間の対応に関する、事前に構成されているかまたは事前に記憶されている情報に基づいて、前記1つまたは複数のOFDMシンボルにおける前記PTRSの時間-周波数位置を判定することとを行うように特に構成されている、請求項14に記載の通信装置。
【請求項１７】
請求項9から13のいずれか1項に記載の通信装置と、請求項14から16のいずれか1項に記載の通信装置とを備える通信システム。
【請求項１８】
コンピュータプログラムを記憶するように構成されたコンピュータ記憶媒体であって、前記コンピュータプログラムがコンピュータ上で作動するとき、前記コンピュータが請求項1から5または6から8のいずれか一項に記載の方法を遂行する、コンピュータ記憶媒体。
【請求項１９】
コンピュータによって実行されたとき、請求項1から5または6から8のいずれか一項に記載の方法を実施するコンピュータプログラム。
【請求項２０】
装置であって、
コンピュータプログラムを記憶したメモリと、
前記コンピュータプログラムを実行して、前記装置に、請求項1から5または6から8のいずれか一項に記載の方法を実施させるように構成されたプロセッサとを備える装置。
【手続補正２】
【補正対象書類名】明細書
【補正対象項目名】００９１
【補正方法】変更
【補正の内容】
【００９１】
S501:  位相トラッキング参照信号(PTRS)をマッピングするべきかどうかを判定する。
【手続補正３】
【補正対象書類名】明細書
【補正対象項目名】００９２
【補正方法】変更
【補正の内容】
【００９２】
位相トラッキング参照信号(PTRS)をマッピングするべきかどうかを判定するステップS501は、以下の実装形態を特に含む。
【手続補正４】
【補正対象書類名】明細書
【補正対象項目名】００９３
【補正方法】変更
【補正の内容】
【００９３】
可能な実装形態において、変調および符号化方式(MCS)が事前設定された条件を満たすとき、位相トラッキング参照信号(PTRS)をマッピングすることが決定される。
【手続補正５】
【補正対象書類名】明細書
【補正対象項目名】００９５
【補正方法】変更
【補正の内容】
【００９５】
たとえば、変調および符号化方式(MCS)の値はMCSインデックス(index)と称される。LTEでは、MCSは変調次数およびビット速度を指示するために使用され、1つのMCSインデックスは1つの変調次数および1つのビット速度に対応する。一例として3GPPのR14プロトコルを使用する。1つのMCSインデックスが1つの変調次数および1つのトランスポートブロックサイズ(Transport Block Size、TBS)に対応し、Table 2(表2)に示されるように、TBSのインデックスはビット速度に対応するパラメータである。
【手続補正６】
【補正対象書類名】明細書
【補正対象項目名】０１０５
【補正方法】変更
【補正の内容】
【０１０５】
PTRSと、変調および符号化方式MCS、帯域幅BW、および副搬送波間隔SCのうちの1つまたは複数との間の対応に関する情報に基づいて、PTRSを1つまたは複数のOFDMシンボルにマッピングするステップS502については、ステップS502の前に、送信デバイスは、PTRSと、変調および符号化方式MCS、帯域幅(BW)、および副搬送波間隔SCのうちの1つまたは複数との間の対応に関する情報を事前に構成するかまたは事前に記憶する必要があることを理解されたい。
【手続補正７】
【補正対象書類名】明細書
【補正対象項目名】０１３６
【補正方法】変更
【補正の内容】
【０１３６】
実施形態1の構成では、受信デバイスは、送信デバイスから1つまたは複数のOFDMシンボルを受信した後に、
現在のスロットの副搬送波間隔(SC)ならびに/あるいは変調および符号化方式(MCS)を取得し、
副搬送波間隔(SC)および/または変調および符号化方式(MCS)と、PTRSの時間領域密度との間の対応に関する、事前に構成されているかまたは事前に記憶されている情報に基づいて、PTRSの時間領域密度を判定し、PTRSの時間領域密度は、1つのPTRSが時間領域におけるいくつかのOFDMシンボルごとにマッピングされることを指示するように使用され、
PTRSの時間領域密度および事前設定されたルールに基づいて1つまたは複数のOFDMシンボルにおけるPTRSの時間-周波数位置を判定する、
ようにして、1つまたは複数のOFDMシンボルにおけるPTRSの時間-周波数位置を判定してよい。
【手続補正８】
【補正対象書類名】明細書
【補正対象項目名】０１４６
【補正方法】変更
【補正の内容】
【０１４６】
実施形態2の構成では、受信デバイスは、送信デバイスから1つまたは複数のOFDMシンボルを受信した後に、
現在のスロットの副搬送波間隔(SC)ならびに/あるいは変調および符号化方式(MCS)を取得し、
副搬送波間隔(SC)および/または変調および符号化方式(MCS)と、PTRSの時間領域密度との間の対応に関する、事前に構成されているかまたは事前に記憶されている情報に基づいて、PTRSの時間領域密度を判定し、PTRSの時間領域密度は、1つのPTRSが時間領域におけるいくつかのOFDMシンボルごとにマッピングされることを指示するように使用され、
PTRSの時間領域密度および事前設定されたルールに基づいて1つまたは複数のOFDMシンボルにおけるPTRSの時間-周波数位置を判定する、
ようにして、1つまたは複数のOFDMシンボルにおけるPTRSの時間-周波数位置を判定してよい。
【手続補正９】
【補正対象書類名】明細書
【補正対象項目名】０１５８
【補正方法】変更
【補正の内容】
【０１５８】
周波数領域密度は、各スケジューリングされた帯域幅におけるPTRSの密度またはPTRSの周波数領域の量を指示するために使用される。
【手続補正１０】
【補正対象書類名】明細書
【補正対象項目名】０１５９
【補正方法】変更
【補正の内容】
【０１５９】
たとえば、Table 8(表8)に示されるように、対応表は特定の基準に従って確立されてよい。たとえば、周波数領域密度が1/12であり、スケジューリングされた帯域幅(スケジューリングされた帯域幅は基地局が端末に割り当てた既知の帯域幅である)が4つのRBである場合、すなわち48の副搬送波(各RBが12個の副搬送波を含む)がある場合には、合計4つのPTRS(48*1/12=4)が、4つのRBのスケジューリングされた帯域幅にマッピングされる。4つのPTRSはスケジューリングされた帯域幅に対して等間隔でマッピングされてよく、4つの連続した副搬送波にマッピングされてもよく、または別のルールに従い、ハッシングによって4つの不連続の副搬送波にマッピングされてもよい。詳細はTable 8(表8)に示す。
【手続補正１１】
【補正対象書類名】明細書
【補正対象項目名】０１６６
【補正方法】変更
【補正の内容】
【０１６６】
たとえば、基地局によって端末に割り当てられるスケジューリングされた帯域幅BWは区間[BW１, BW２)内に含まれ、基地局が使用するMCSの値は区間[MCS０, MCS１)内に含まれる。Table 9(表9)のマッピング情報に基づき、PTRSの周波数領域の量またはPTRSの周波数領域密度がT２３であることが明らかになり得る。この点で、T２３は10進数すなわち整数でよい。
【手続補正１２】
【補正対象書類名】明細書
【補正対象項目名】０１８２
【補正方法】変更
【補正の内容】
【０１８２】
任意選択で、プロセッサ810は、位相トラッキング参照信号(PTRS)を1つまたは複数の直交周波数分割多重化(OFDM)シンボルにマッピングすることを決定するようにさらに構成される。
【手続補正１３】
【補正対象書類名】明細書
【補正対象項目名】０１９６
【補正方法】変更
【補正の内容】
【０１９６】
トランシーバ930は、基地局から1つまたは複数の直交周波数分割多重化(OFDM)シンボルを受信するように構成されている。
【手続補正１４】
【補正対象書類名】明細書
【補正対象項目名】０２０２
【補正方法】変更
【補正の内容】
【０２０２】
任意選択で、プロセッサ910は、
現在のネットワークにおける変調および符号化方式(MCS)を取得することと、
現在のネットワークにおける帯域幅を取得することと、
変調および符号化方式(MCS)と帯域幅の両方と、PTRSの周波数領域の量またはPTRSの周波数領域密度との間の事前に構成されているかまたは事前に記憶されている対応に基づいて、PTRSの周波数領域の量またはPTRSの周波数領域密度を判定することと、
PTRSの周波数領域の量またはPTRSの周波数領域密度に基づいて、1つまたは複数のOFDMシンボルにおけるPTRSの時間-周波数位置を判定することとを行うように特に構成される。
【手続補正１５】
【補正対象書類名】明細書
【補正対象項目名】０２０５
【補正方法】変更
【補正の内容】
【０２０５】
任意選択で、メモリ920は、変調および符号化方式(MCS)と帯域幅BWの両方と、PTRSの周波数領域の量との間の対応を事前に記憶するようにさらに構成される。
【手続補正１６】
【補正対象書類名】図面
【補正対象項目名】図５
【補正方法】変更
【補正の内容】
【図５】
2020504554.tif 000001